(57)【要約】【課題】機械室から商品収納庫に延びる電気配線が機械室の前方に垂れ下がることのない自動販売機を提供する。【解決手段】自動販売機によれば、配線カバー３５によって電気配線３４が機械室１２の前方に垂れ下がることがないので、例えば機械室１２内の冷却ユニット４０を出し入れする際の作業が電気配線３４によって妨げられることがなく、作業性の向上を図ることができる。【選択図】図３
2007109019.tif 000002
【特許請求の範囲】
【請求項１】
前面を開口した自動販売機本体と、自動販売機本体の前面を開閉する外扉と、自動販売機本体内に設けられた商品収納庫と、商品収納庫の下方に設けられた機械室と、商品収納庫の底面板の前方を介して機械室内から商品収納庫内に延びる電気配線とを備えた自動販売機において、
前記底面板の前端側に、商品収納庫の幅方向に延びる電気配線を覆う配線カバーを取り付けた
ことを特徴とする自動販売機。
【請求項２】
前記配線カバーを底面板の前端面側から下面側に屈曲するように形成し、底面板の前端下部には配線カバーとの間に電気配線を収容可能な切り欠き部を設けた
ことを特徴とする請求項１記載の自動販売機。
【請求項３】
前記底面板に配線カバーを取り付けるための取付部材を設けた
ことを特徴とする請求項１又は２記載の自動販売機。
【請求項４】
前記配線カバー及び取付部材に互いに係合する係合部を設けた
ことを特徴とする請求項１乃至３の何れか一項に記載の自動販売機。
【請求項５】
前記商品収納庫の底面板の前方を介して機械室内から商品収納庫内に延びる冷媒配管を備え、
配線カバーに電気配線及び冷媒配管のうち少なくとも冷媒配管を挿通するための凹部を設けた
ことを特徴とする請求項１乃至４の何れか一項に記載の自動販売機。
【発明の詳細な説明】
【技術分野】
【０００１】
本発明は、例えば缶、ビンまたはペットボトル入り飲料等の商品を販売する自動販売機に関するものである。
【背景技術】
【０００２】
従来、この種の自動販売機として、前面を開口した自動販売機本体と、自動販売機本体の前面を開閉する外扉と、自動販売機本体内に設けられた商品収納庫と、商品収納庫の下方に設けられた機械室と、商品収納庫の底面板の前方を介して機械室内から商品収納庫内に延びる電気配線と、商品収納庫の底面に電気配線全体を覆うための配線カバーとを備えた自動販売機が開示されている（例えば、特許文献１参照）。
【０００３】
また、商品収納庫の底面に電気配線用の溝を設け、この溝に電気配線を配設した自動販売機が開示されている（例えば、特許文献２参照）。この自動販売機は、溝に配設された電気配線の上方に冷媒配管を横断させて、電気配線を溝に収容するようにしている。
【特許文献１】特開２００１−３４４６４６号公報
【特許文献２】特開２００２−８３３５６号公報
【発明の開示】
【発明が解決しようとする課題】
【０００４】
しかしながら、従来の自動販売機では、配線カバーが商品収納庫の底面に設けられているため、機械室から商品収納庫から延びる電気配線が機械室の前方に垂れ下がり、例えば凝縮器や圧縮機からなる冷却ユニットを機械室に設置又は引き出す際に、機械室内から商品収納庫に延びる電気配線によって冷却ユニットの出し入れが妨げられることがあった。
【０００５】
本発明は、上記事情に鑑みてなされたものであり、その目的とするところは、機械室から商品収納庫に延びる電気配線が機械室の前方に垂れ下がることがなく、例えば機械室内の冷却ユニットを出し入れする際の作業が電気配線によって妨げられることなく行える自動販売機を提供することにある。
【課題を解決するための手段】
【０００６】
上記目的を達成するために、本発明の自動販売機は、前面を開口した自動販売機本体と、自動販売機本体の前面を開閉する外扉と、自動販売機本体内に設けられた商品収納庫と、商品収納庫の下方に設けられた機械室と、商品収納庫の底面板の前方を介して機械室内から商品収納庫内に延びる電気配線とを備えた自動販売機において、前記底面板の前端側に、商品収納庫の幅方向に延びる電気配線を覆う配線カバーを取り付けた構成となっている。
【０００７】
この自動販売機によれば、商品収納庫の底面板の前方を介して機械室内から商品収納庫内に延びる電気配線が配線カバーによって覆われるので、電気配線が機械室の前方に垂れ下がることがない。
【発明の効果】
【０００８】
本発明によれば、配線カバーによって電気配線が機械室の前方に垂れ下がることがないので、例えば機械室内の冷却ユニットを出し入れする際の作業が電気配線によって妨げられることがなく、作業性の向上を図ることができる。
【発明を実施するための最良の形態】
【０００９】
図１乃至図７は本発明の一実施形態を示すもので、図１は自動販売機の全体斜視図、図２は図１に示す自動販売機の概略断面図、図３は図１に示す自動販売機の概略断面図、図４は配線カバーと取付部材の全体斜視図、図５は配線カバーの平面図、図６は取付部材の平面図、図７は取付部材の正面図である。
【００１０】
この自動販売機は、前面を開口した自動販売機本体１０と、自動販売機本体１０の前面を開閉する外扉２０と、自動販売機本体１０内に設けられた断熱性の商品収納庫３０と、商品収納庫３０を冷却する冷却ユニット４０とを備えている。
【００１１】
自動販売機本体１０は、前面を開口した断熱箱１１を有し、断熱箱１１内には商品収納庫３０が形成されている。自動販売機本体１０の下部には機械室１２が設けられ、機械室１２は商品収納庫３０の下方に配置されている。
【００１２】
外扉２０は幅方向一端側を自動販売機本体１０に回動自在に支持され、その前面には商品サンプル２１、商品選択ボタン２２、紙幣投入口２３、硬貨投入口２４、硬貨返却口２５及び商品取出口２６が設けられている。
【００１３】
商品収納庫３０は前面を開閉する断熱性の内扉３１を有し、その内部には商品収納コラム３２が収納されている。商品収納コラム３２は、例えばサーペンタイン式コラム、コンベア式コラム、スパイラル式コラム等、各種のコラムが用いられる。また、商品収納庫３０は、その底面板３３の前面を介して機械室１２内から商品収納庫３０内に延びる電気配線３４を備えている。
【００１４】
底面板３３は断熱材３３ａと商品収納庫３０側に配置される下面板３３ｂとからなり、底面板３３の前端側には商品収納庫３０の幅方向に延びる電気配線３４を覆う配線カバー３５が取り付けられている。さらに、底面板３３の前端面側から下面側には配線カバー３５を取り付けるための取付部材３６が設けられている。また、底面板３３の前端下部には、配線カバー３５との間に電気配線３４を収容可能な切り欠き部３３ｃが設けられている。
【００１５】
配線カバー３５は、底面板３３の前端面側から下面側に屈曲するように形成されている。この配線カバー３５は、下面部３５ａと、下面部３５ａに突出して設けられた突出片３５ｂと、突出片３５ｂに設けられた係合部３５ｃと、下面部３５ａに設けられ、冷媒配管４８と電気配線３４を挿通するための凹部３５ｄと、下面部３５ａに対して屈曲して設けられた前面部３５ｅと、前面部３５ｅの上端を折り返してなる折り返し部３５ｆとから構成されている。
【００１６】
取付部材３６は、前面部３６ａと、前面部３６ａに対して屈曲して設けられた下面部３６ｂと、突出片３５ｂを挿入するための挿入孔３６ｃと、前面部３６ａに設けられた３箇所の貫通孔３６ｄから構成され、貫通孔３６ｄにはネジ３７が挿入される。
【００１７】
冷却ユニット４０は、商品収納庫３０内に配置される一部の冷却機器と、機械室１２内に配置される他の冷却機器と、これらの冷却機器の間に配置される前記底面板３３と、機械室１２側の冷却機器の下方に配置される底板４１と、底面板３３を底板４１上の冷却機器の上方に支持する支持部材としての複数の支柱４２とを有し、自動販売機本体１０に着脱自在に設けられている。商品収納庫３０側に配置される冷却機器は蒸発器４３及び一対の蒸発器用ファン４４からなる。機械室１２側に配置される冷却機器は圧縮機４５、凝縮器４６、凝縮器用ファンユニット４７及びその他の機器（アキュムレータ等）からなり、これらの冷却機器は図示しない基板に載置されている。また、冷却機器を載置した基板は底板４１に固定される。圧縮機４５及び凝縮器４６は冷媒配管４８を介して商品収納庫３０側の蒸発器４３に接続され、圧縮機４５によって蒸発器４３及び凝縮器４６に冷媒を循環するようになっている。底板４１は基板よりも幅方向に大きく形成され、前後方向に移動自在に係合するようになっている。各支柱４２は互いに底板４１の幅方向両側に前後方向に間隔をおいて配置され、その上端には底面板３３が固定されている。
【００１８】
以上のように構成された自動販売機の配線カバー３５と取付部材３６の取付工程について図３及び図４を参照して説明する。
【００１９】
まず、底面板３３に配線カバー３５を取り付けるための取付部材３６を底面板３３の下面に取り付ける。そして、貫通孔３６ｄにネジ３７を挿入し、底面板３３の断熱材３３ａに取付部材３６を固定する。
【００２０】
次に、取付部材３６に配線カバー３５を固定する際には、底面板３３の前端側に商品収納庫３０の幅方向に延びる電気配線３４を覆うように、配線カバー３５を取り付ける。その際、自動販売機本体１０に取り付けられた取付部材３６の挿入孔３６ｃに配線カバー３５の突出片３５ｂを挿入する（図４の白抜き矢印参照）。これにより、挿入した方向とは逆方向に配線カバー３５を移動させても、取付部材３６の挿入孔３６ｃと配線カバー３５の係合部３５ｂとが係合して、取付部材３６から配線カバー３５が外れることがない。また、電気配線３４が配線カバー３５によって覆われるので、電気配線３４が機械室１２の前方に垂れ下がることがない。さらに、電気配線３４が機械室１２の前方に垂れ下がることがないので、例えば機械室１２内の冷却ユニット４０を出し入れする際の作業が電気配線３４によって妨げられることなく行える。
【００２１】
尚、上述した自動販売機の配線カバー３５と取付部材３６の取付工程は、冷却ユニット４０等が機械室１２や商品収納庫３０に設置される前後に拘わらず行うことができる。冷却ユニット４０等が機械室１２や商品収納庫３０に設置される前であれば、上述のように自動販売機本体１０に配線カバー３５と取付部材３６とを取り付ければよい。また、冷却ユニット４０等が機械室１２や商品収納庫３０に設置された後であれば、冷媒配管４８と自動販売機本体１０との隙間に配線カバー３５と取付部材３６とを取り付けるようにすればよい。
【００２２】
このように本実施形態の自動販売機によれば、配線カバー３５によって電気配線３４が機械室１２の前方に垂れ下がることがないので、例えば機械室１２内の冷却ユニット４０を出し入れする際の作業が電気配線３４によって妨げられることがなく、作業性の向上を図ることができる。
【００２３】
また、底面板３３の前端下部には、配線カバー３５との間に電気配線３４を収容可能な切り欠き部３３ｃが設けられているので、配線カバー３５を底面板３３の前方及び下部に突出させることなく底面板３３に配線カバー３５を取り付けることができる。
【００２４】
さらに、底面板３３に配線カバー３５を取り付けるための取付部材３６を設けたので、取付部材３６によって配線カバー３５を確実に取り付けることができる。
【００２５】
また、配線カバー３５及び取付部材３６に互いに係合する係合部を設けたので、配線カバー３５が容易に外れることがなく、配線カバー３５の脱落を確実に防止することができる。
【００２６】
さらに、配線カバー３５に冷媒配管４８を挿通するための凹部３５ｄを設けたので、冷媒配管４８に対応する位置に配線カバー３５を取り付ける場合に有利である。
【００２７】
また、自動販売機の配線カバー３５の取付工程は、冷却ユニット４０が機械室１２に設置される前後に関わらず行うことができるので、配線カバー３５を備えていない自動販売機に対して、配線カバー３５を後付けすることができる。
【図面の簡単な説明】
【００２８】
【図１】本発明の一実施形態を示す自動販売機の全体斜視図
【図２】図１に示す自動販売機の概略断面図
【図３】配線カバーの全体斜視図
【図４】配線カバーと取付部材の全体斜視図
【図５】配線カバーの平面図
【図６】取付部材の平面図
【図７】取付部材の正面図
【符号の説明】
【００２９】
１０…自動販売機本体、１２…機械室、３４…電気配線、３５…配線カバー、３６…取付部材、４０…冷却ユニット、４８…冷媒配管。
【図１】
2007109019.tif 000003
【図２】
2007109019.tif 000004
【図３】
2007109019.tif 000005
【図４】
2007109019.tif 000006
【図５】
2007109019.tif 000007
【図６】
2007109019.tif 000008
【図７】
2007109019.tif 000009